(57)【要約】【課題】  誤結線時の外部アラーム出力を実現し、部品点数を減らして低コスト化、小型化を図る。【解決手段】  電流検出回路５０は、ＩＮ−ＤＢ１間の電流量を検出する。電流判定回路６０は、その電流量からＩＮかＯＵＴのどちらから電源が投入されたかを判断し、ＯＵＴから電源投入されたと判断された場合には、誤結線検出信号を制御回路４０に供給する。制御回路４０は、誤結線検出信号が供給されると、ＰＷＭ出力回路２の動作を止める。これにより、ＯＵＴから電源が入力された場合でも、事前にＰＷＭ出力回路２の動作を止めることで電源線の誤結線による故障を防止する。【選択図】    図１
2006187128.tif 000002
【特許請求の範囲】
【請求項１】
入力端子側から入力される交流電源を整流する整流回路と、整流された直流電圧をパルス幅変調して出力端子側から出力するＰＷＭ出力回路と、前記整流回路からの直流電圧から直流電源を生成する電源回路と、前記ＰＷＭ出力回路によるパルス幅変調動作を制御する制御回路とを備える制御器における誤結線検出装置であって、
前記入力端子と前記整流回路との間に介挿され、前記入力端子と前記整流回路との間への電流量を検出する電流検出回路と、
前記電流検出回路により検出された前記入力端子と前記整流回路との間への電流量に基づいて、前記入力端子か前記出力端子のどちらから電源が投入されたかを判断する電流判定回路とを具備し、
前記制御回路は、電流判定回路により、前記出力端子から電源投入されたと判断された場合には、前記ＰＷＭ出力回路の動作を止めることを特徴とする誤結線検出装置。
【請求項２】
前記電流判定回路により、前記出力端子から電源投入されたと判断された場合に、前記制御回路により起動され、誤結線状況を外部に出力する誤結線アラーム出力回路を具備することを特徴とする請求項１記載の誤結線検出装置。
【請求項３】
前記誤結線アラーム出力回路は、前記電源回路からの直流電源を電力として駆動することを特徴とする請求項１または２記載の誤結線検出装置。
【請求項４】
入力端子側から入力される交流電源を整流する整流回路と、整流された直流電圧をパルス幅変調して出力端子側から出力するＰＷＭ出力回路と、前記整流回路からの直流電圧から直流電源を生成する電源回路と、前記ＰＷＭ出力回路によるパルス幅変調動作を制御する制御回路とを備える制御器における誤結線検出方法であって、
前記入力端子と前記整流回路との間への電流量を検出し、該電流量に基づいて、前記入力端子か前記出力端子のどちらから電源が投入されたかを判断し、前記出力端子から電源投入されたと判断された場合には、前記ＰＷＭ出力回路の動作を止めることを特徴とする誤結線検出方法。
【発明の詳細な説明】
【技術分野】
【０００１】
本発明は、誤結線検出装置および誤結線検出方法に関する。
【背景技術】
【０００２】
従来より、図２に示す、一般的な構成からなる制御器（振動機用制御器）をユーザが結線する際、電源線を誤ってＯＵＴ側に結線し、運転させた場合、制御器を故障させてしまうという事例がある。
【０００３】
故障までの動作としては、
（１）ユーザが誤って、ＯＵＴに電源線を結線し、電源を投入する。
（２）ＰＷＭ出力回路２とコンデンサＣ１とにより直流電圧に平滑化される。
（３）コンデンサＣ１の直流電圧によりＤＣ／ＤＣ制御電源回路３および制御回路４が動作する。
（４）制御回路４の指令により、ＰＷＭ出力回路２が動作して故障する。
【０００４】
上記問題に対して、従来、図３に示すように、制御回路１を第１整流回路１−１、１−２の２つに分ける技術が提案されている。図２に示す構成にすることにより、ＯＵＴに電源線を結線しても、コンデンサＣ１の直流電圧では、ＤＣ／ＤＣ制御電源回路３が動作せず、ゆえに、制御回路４も動作しないようにすることで保護している。
なお、電流検出することにより誤結線検出を行う技術として特許文献１に記載の装置が知られている。
【特許文献１】特開平０７−０６７２４８号公報
【発明の開示】
【発明が解決しようとする課題】
【０００５】
しかしながら、従来技術では、ＩＮ／ＯＵＴの誤結線のとき、ＤＣ／ＤＣ制御電源回路３が動作せず、制御電源が制御回路４に供給されないため、制御回路４が動作せず、外部に誤結線のアラームを出力することができないという問題があった。また、２つの整流回路１−１、１−２が必要になるため、コスト面で不利となり、また、製品の小型化に対して不利になるという問題があった。
【０００６】
本発明は、このような事情を考慮してなされたものであり、その目的は、部品点数を減らして低コスト化、小型化を図りつつ、誤結線による故障の発生を防止することができ、また、誤結線時の外部アラーム出力を実現することができる誤結線検出装置および誤結線検出方法を提供することにある。
【課題を解決するための手段】
【０００７】
上述した課題を解決するために、本発明は、入力端子側から入力される交流電源を整流する整流回路と、整流された直流電圧をパルス幅変調して出力端子側から出力するＰＷＭ出力回路と、前記整流回路からの直流電圧から直流電源を生成する電源回路と、前記ＰＷＭ出力回路によるパルス幅変調動作を制御する制御回路とを備える制御器における誤結線検出装置であって、前記入力端子と前記整流回路との間に介挿され、前記入力端子と前記整流回路との間への電流量を検出する電流検出回路と、前記電流検出回路により検出された前記入力端子と前記整流回路との間への電流量に基づいて、前記入力端子か前記出力端子のどちらから電源が投入されたかを判断する電流判定回路とを具備し、前記制御回路は、電流判定回路により、前記出力端子から電源投入されたと判断された場合には、前記ＰＷＭ出力回路の動作を止めることを特徴とする。
【０００８】
本発明は、上記の発明において、前記電流判定回路により、前記出力端子から電源投入されたと判断された場合に、前記制御回路により起動され、誤結線状況を外部に出力する誤結線アラーム出力回路を具備することを特徴とする。
【０００９】
本発明は、上記の発明において、前記誤結線アラーム出力回路は、前記電源回路からの直流電源を電力として駆動することを特徴とする。
【００１０】
また、上述した課題を解決するために、本発明は、入力端子側から入力される交流電源を整流する整流回路と、整流された直流電圧をパルス幅変調して出力端子側から出力するＰＷＭ出力回路と、前記整流回路からの直流電圧から直流電源を生成する電源回路と、前記ＰＷＭ出力回路によるパルス幅変調動作を制御する制御回路とを備える制御器における誤結線検出方法であって、前記入力端子と前記整流回路との間への電流量を検出し、該電流量に基づいて、前記入力端子か前記出力端子のどちらから電源が投入されたかを判断し、前記出力端子から電源投入されたと判断された場合には、前記ＰＷＭ出力回路の動作を止めることを特徴とする。
【発明の効果】
【００１１】
この発明によれば、前記入力端子と前記整流回路との間に介挿された電流検出回路によって、前記入力端子と前記整流回路との間への電流量を検出し、電流判定回路によって、前記電流検出回路により検出された前記入力端子と前記整流回路との間への電流量に基づいて、前記入力端子か前記出力端子のどちらから電源が投入されたかを判断し、前記制御回路によって、前記出力端子から電源投入されたと判断された場合には、前記ＰＷＭ出力回路の動作を止める。したがって、部品点数を減らして低コスト化、小型化を図りつつ、誤結線による故障の発生を防止することができるという利点が得られる。
【００１２】
また、本発明によれば、前記電流判定回路により、前記出力端子から電源投入されたと判断された場合に、前記制御回路により起動された誤結線アラーム出力回路により、誤結線状況を外部に出力する。したがって、部品点数を減らして低コスト化、小型化を図りつつ、誤結線による故障の発生を防止することができ、また、誤結線時の外部アラーム出力を実現することができるという利点が得られる。
【００１３】
また、本発明によれば、前記誤結線アラーム出力回路は、前記電源回路からの直流電源を電力として駆動する。したがって、部品点数を減らして低コスト化、小型化を図りつつ、誤結線による故障の発生を防止することができ、また、誤結線時の外部アラーム出力を実現することができるという利点が得られる。
【発明を実施するための最良の形態】
【００１４】
以下、本発明の一実施形態によるインバータ誤結線検出装置を、図面を参照して説明する。
図１は、本発明の実施形態によるインバータ誤結線検出装置を適用した制御器（振動機用制御器）の構成を示すブロック図である。本実施形態では、電源の入力がＩＮかＯＵＴのどちらから入力されるかを監視し、ＯＵＴから入力された場合でも、事前にＰＷＭ出力回路の動作を止めることで電源線の誤結線による故障を防止するようになっている。
【００１５】
図において、整流回路１は、ブリッジ回路ＤＢ１とコンデンサＣ１から構成され、ＩＮから入力される電源を整流する。ＰＷＭ出力回路は、上記整流回路１からの直流電圧を、制御回路４０による制御に従ってパルス幅変調してＯＵＴから出力する。ＤＣ／ＤＣ制御電源回路３は、コンデンサＣ１の直流電圧からＤＣ／ＤＣ制御により制御回路４０への電源を供給する。
【００１６】
電流検出回路５０は、ＩＮ−ＤＢ１間に介挿され、ＩＮ−ＤＢ１間への電流量を検出する。電流判定回路６０は、上記電流検出回路５０により検出されたＩＮ−ＤＢ１間への電流量に従って、ＩＮかＯＵＴのどちらから電源が投入されたかを判断し、ＯＵＴから電源投入されたと判断された場合には、誤結線検出信号を制御回路４０に供給する。
【００１７】
制御回路４０は、誤結線検出信号が供給されると、ＰＷＭ出力回路の動作を止める。また、制御回路４０は、誤結線検出信号が供給されると、誤結線アラーム出力回路７０を起動する。誤結線アラーム出力回路７０は、制御回路４０による制御に従って、誤結線状況を外部に出力する。
【００１８】
なお、上述した構成において、電流検出回路５０は、回路構成部品として、フォトカプラ以外は、既にインバータの標準的な部品として組み込まれているので、併用が可能であり、従来技術と比較して、整流回路を１つにすることが可能なため、低コスト化や小型化を実現することができる。
【００１９】
次に、上述した制御器の動作について説明する。通常、負荷出力がない場合でも、ＤＣ／ＤＣ制御電源回路３０と制御回路４０とにより電力が消費されているため、ＩＮから電源を入力した場合、ＩＮ−ＤＢ１間に電流が流れる。一方、ＯＵＴから電源を入力した場合には、ＰＷＭ出力回路２と整流回路１の構成から、ＩＮ−ＤＢ１間には電流が流れない。
【００２０】
そこで、ＩＮ−ＤＢ１間に介挿された電流検出回路５０によって、ＩＮ−ＤＢ１間の電流量を検出し、電流判定回路６０によって、その電流量からＩＮかＯＵＴのどちらから電源が投入されたかを判断する。そして、ＯＵＴから電源投入されたと判断された場合には、誤結線検出信号を制御回路４０に供給する。制御回路４０では、誤結線検出信号が供給されると、ＰＷＭ出力回路２の動作を止める。これにより、ＯＵＴから電源が入力された場合でも、事前にＰＷＭ出力回路２の動作を止めることで電源線の誤結線による故障を防止することができる。
【００２１】
また、ＩＮ−ＤＢ１間の電流量は、制御回路やＤＣ／ＤＣ制御電源回路により決まるので、電流判定回路では、ＩＮ−ＤＢ１間の電流量の判定基準を調整することが可能である。
【００２２】
また、誤結線アラーム出力回路７０により、誤結線状況が外部に出力される。これは、電源がＩＮとＯＵＴのどちらから入力されても、ＤＣ／ＤＣ電源回路３０が動作しており、該ＤＣ／ＤＣ電源回路３０により制御回路４０と誤結線アラーム出力回路７０とが動作可能な状態にあるためである。
【００２３】
上述した実施形態では、電流検出回路５０の電流検出器に抵抗により検出（シャント抵抗の電圧を絶縁アンプで検出）したが、これ以外にも、ＤＣＣＴ（直流電流検出器）を用いてもよい。また、誤結線アラーム出力回路７０としては、７セグメントによる表示、トランジスタ出力、フォトカプラ出力、音／音声出力、液晶表示などを用いてもよい。
【図面の簡単な説明】
【００２４】
【図１】本発明の実施形態によるインバータ誤結線検出装置を適用した制御器（振動機用制御器）の構成を示すブロック図である。
【図２】一般的な構成からなる制御器（振動機用制御器）の構成を示すブロック図である。
【図３】従来技術による制御器（振動機用制御器）の他の構成を示すブロック図である。
【符号の説明】
【００２５】
１  整流回路
２  ＰＷＭ出力回路
３  ＤＣ／ＤＣ制御電源回路
４０  制御回路
５０  電流検出回路
６０  電流判定回路
７０  誤結線アラーム出力回路
【図１】
2006187128.tif 000003
【図２】
2006187128.tif 000004
【図３】
2006187128.tif 000005